(57)【要約】【課題】  電装ボックス内に増設した増設電装品からの信号を容易に外部に取り出し可能な構造を提供することである。【解決手段】  電装ボックスに形成されたケーブルの取り出しを可能とする開口部と、該開口部を塞ぐと共にケーブルの取り出し位置を規制する閉塞プレートとを備えたケーブル接続構造に使用する増設ケーブル取り出し用補助枠体であって、該電装ボックスに形成された前記開口部を囲繞する複数の側壁と、該電装ボックスに取り付けられる第１の取付部と、該閉塞プレートが取り付けられる第２の取付部とを有し、少なくとも１つの前記側壁には該電装ボックス内部から増設ケーブルを取り出すケーブル取り出し穴が形成されていることを特徴とする。【選択図】図３
2010177227.tif 000002
【特許請求の範囲】
【請求項１】
電装ボックスに形成されたケーブルの取り出しを可能とする開口部と、該開口部を塞ぐと共にケーブルの取り出し位置を規制する閉塞プレートとを備えたケーブル接続構造に使用する増設ケーブル取り出し用補助枠体であって、
該電装ボックスに形成された前記開口部を囲繞する複数の側壁と、該電装ボックスに取り付けられる第１の取付部と、該閉塞プレートが取り付けられる第２の取付部とを有し、
少なくとも１つの前記側壁には該電装ボックス内部から増設ケーブルを取り出すケーブル取り出し穴が形成されていることを特徴とする増設ケーブル取り出し用補助枠体。
【請求項２】
該電装ボックスは前記開口部の回りに形成された複数のねじ穴を有しており、該閉塞プレートは該ねじ穴に対応した位置に複数の第１貫通穴を有しており、
前記第１の取付部及び前記第２の取付部には該閉塞プレートに形成された前記第１貫通穴に対応する位置に複数の第２貫通穴が形成されていて、雄ねじを前記第１及び第２貫通穴を通して該ねじ穴に螺合することにより、該閉塞プレートと該補助枠体とが該電装ボックスに形成された前記開口部を塞ぐように該電装ボックスに取り付けられることを特徴とする請求項１記載の増設ケーブル取り出し用補助枠体。
【請求項３】
該補助枠体は２分割可能に組み立てられている請求項１又は２記載の増設ケーブル取り出し用補助枠体。
【発明の詳細な説明】
【技術分野】
【０００１】
本発明は、電装ボックス内に電装品を増設した際に、該増設電装品に接続された増設ケーブルの取り出しを可能とする増設ケーブル取り出し用補助枠体に関する。
【背景技術】
【０００２】
ＩＣ、ＬＳＩ等の複数のデバイスが格子状に形成された分割予定ラインによって区画されて表面に形成された半導体ウエーハは、研削装置によって裏面が研削されて所定の厚みに加工された後、ダイシング装置によって個々のデバイスに分割され、分割されたデバイスは携帯電話、パソコン等の電気機器に利用される。
【０００３】
研削装置及びダイシング装置等の加工装置にはＣＰＵ、配電盤等の電装品を収容する電装ボックスが配設されており、電装品に接続された複数のケーブルが電装ボックスに形成された開口部を介して電装ボックスの外部のケーブルに接続されている。
【０００４】
電装ボックスに形成された開口部にはケーブルが連通する位置を規制する取り出し穴が形成された閉塞プレートが着脱自在に装着されていて、必要に応じて電装品を増設した際には増設電装品に接続されたケーブルを取り出す取り出し穴を閉塞プレートに増設できる構成になっている。
【先行技術文献】
【特許文献】
【０００５】
【特許文献１】特開２００１−７５４３号公報
【発明の概要】
【発明が解決しようとする課題】
【０００６】
しかし、閉塞プレートに新しく取り出し穴を形成するには、全てのケーブルを取り外し閉塞プレートを電装ボックスから取り外して加工しなければならず、煩に耐えないばかりか加工装置の稼動が制限され不経済であるという問題がある。
【０００７】
また、加工装置を製造したメーカーに対して過去の設計図に基づいて新しい取り出し穴を増設した閉塞プレートを依頼しても設計図を紛失していたり、或いはユーザー側が自ら閉塞プレートに取り出し穴を増設しており、設計図に基づいて新たに増設穴を形成してもユーザーが形成した増設穴と重複し、納品した閉塞プレートが利用できない場合があるという問題がある。
【０００８】
本発明はこのような点に鑑みてなされたものであり、その目的とするところは、電装ボックス内に電装品を増設した際に、該電装品に接続されたケーブルを取り出す取り出し穴を増設するのに適した増設ケーブル取り出し用補助枠体を提供することである。
【課題を解決するための手段】
【０００９】
本発明によると、電装ボックスに形成されたケーブルの取り出しを可能とする開口部と、該開口部を塞ぐと共にケーブルの取り出し位置を規制する閉塞プレートとを備えたケーブル接続構造に使用する増設ケーブル取り出し用補助枠体であって、該電装ボックスに形成された前記開口部を囲繞する複数の側壁と、該電装ボックスに取り付けられる第１の取付部と、該閉塞プレートが取り付けられる第２の取付部とを有し、少なくとも１つの前記側壁には該電装ボックス内部から増設ケーブルを取り出すケーブル取り出し穴が形成されていることを特徴とする増設ケーブル取り出し用補助枠体が提供される。
【００１０】
好ましくは、電装ボックスは開口部の回りに形成された複数のねじ穴を有しており、閉塞プレートは該ねじ穴に対応した位置に複数の第１貫通穴を有している。そして、補助枠体の第１の取付部及び第２の取付部には閉塞プレートに形成された第１貫通穴に対応する位置に複数の第２貫通穴が形成されていて、雄ねじを第１及び第２貫通穴を通してねじ穴に螺合することにより、閉塞プレートと補助枠体とが電装ボックスに形成された開口部を塞ぐように電装ボックスに取り付けられる。好ましくは、補助枠体は２分割可能に組み立てられている。
【発明の効果】
【００１１】
本発明によると、閉塞プレートに加工を施すことなく、増設ケーブルの取り出し穴を容易に増設することができる。また、補助枠体を装着する際に、装着の妨げとなるケーブルのみを閉塞プレートから取り外せばよいことから作業性が良好であると共に、加工装置の稼動の制限が抑制される。
【００１２】
更に、補助枠体を２分割可能なように構成すると、既存のケーブルを全く取り外すことなく補助枠体を電装ボックスに装着することができ、作業性が更に良好になると共に加工装置の稼動の制限が更に抑制される。
【図面の簡単な説明】
【００１３】
【図１】閉塞プレートを利用した従来のケーブル接続構造の外観斜視図である。
【図２】閉塞プレートを電装ボックスから取り外した状態の斜視図である。
【図３】本発明実施形態の増設ケーブル取り出し用補助枠体を利用したケーブル接続構造の分解斜視図である。
【図４】図４（Ａ）は本発明実施形態の増設ケーブル取り出し用補助枠体を利用したケーブル接続構造の斜視図、図４（Ｂ）は図４（Ａ）のＡ部分拡大断面図である。
【発明を実施するための形態】
【００１４】
まず、図１及び図２を参照して、電装ボックス内からケーブルを取り出す従来のケーブル接続構造について説明する。図２に示すように、電装ボックス２には矩形状の開口部４が形成されており、この開口部４を塞ぐように図１に示す閉塞プレート１６が電装ボックス２に着脱可能に装着される。
【００１５】
図２に示すように、雌コネクタ６はケーブル１０を介して電装ボックス２内に収容された電装品に接続されており、雌コネクタ８もケーブル１２を介して電装ボックス２内に収容された他の電装品に接続されている。開口部４の角部周辺の電装ボックス２には４個のねじ穴１４が形成されている。
【００１６】
図１に示すように、閉塞プレート１６に形成された貫通穴１７（図３参照）を通してねじ１８を電装ボックス２のねじ穴１４に螺合することにより、閉塞プレート１６が開口部４を塞ぐように電装ボックス２に取り付けられる。
【００１７】
このように電装ボックス２に取り付けられた閉塞プレート１６の内側に雌コネクタ６，８を固定する。そして、ケーブル２４に接続された雄コネクタ２８をケーブル取り出し穴を通して雌コネクタ６に嵌合することにより、ケーブル１０がケーブル２４に接続される。
【００１８】
同様に、ケーブル２６に接続された雄コネクタ２２をケーブル取り出し穴を通して雌コネクタ８に嵌合することにより、ケーブル１２がケーブル２６に接続される。ケーブル１０，１２，２４，２６は例えば信号ケーブルである。
【００１９】
次に、図３及び図４を参照して、本発明実施形態の増設ケーブル取り出し用補助枠体を使用したケーブル接続構造について説明する。２８は増設ケーブル取り出し用補助枠体であり、矩形状に形成されている。補助枠体２８は４つの側壁３０ａ，３０ｂ，３０ｃ，３０ｄを有しており、これらの側壁３０ａ〜３０ｄにより電装ボックス２に形成された開口部４を囲繞する。
【００２０】
補助枠体２８は更に、電装ボックス２に取り付けられる第１の取付部３２と、閉塞ブレード１６が取り付けられる第２の取付部３４を有している。第１の取付部３２には矩形状の開口３３が形成されており、第２の取付部３４にも矩形状の開口３５が形成されている。
【００２１】
第１の取付部３２及び第２の取付部３４には閉塞プレート１６に形成された４個の貫通穴１７に対応する位置にそれぞれ４個の貫通穴３６が形成されている。側壁３０ａには電装ボックス２の内部から図示しない増設ケーブルを取り出すためのケーブル取り出し穴３８が形成されている。この増設ケーブルは電装ボックス２の内部に増設した増設電装品に接続されている。
【００２２】
補助枠体２８は分割線４０ａ，４０ｂにより分割可能に組み立てられている。補助枠体２８の分割線４０ａは、図４（Ａ）のＡ部分の拡大図である図４（Ｂ）に示すように、薄肉部４８と５０が合わさったような構造をしている。分割線４０ｂ部分についても同様である。
【００２３】
電装ボックス２の内部のケーブル１０，１２はある程度の弛みがあるように電装ボックス２内に収容されているので、雌コネクタ６，８及び雄コネクタ２０，２２を閉塞プレート１６から取り外すことなく、図３に示すように閉塞プレート１６を電装ボックス２から取り外して引き出すことができる。
【００２４】
本実施形態の増設ケーブル取り出し用補助枠体２８を使用して閉塞プレート１６を電装ボックス２に取り付けるには、図３に示すように閉塞プレート１６を電装ボックス２から引き出し、分割線４０ａ，４０ｂで２つに分割した補助枠体２８をケーブル１０，１２の左右から互いに近づけて補助枠体２８を組み立てる。
【００２５】
そして、図４（Ａ）に示すように、ねじ４２を閉塞プレート１６の貫通穴１７及び補助枠体２８の第１の取付部３２及び第２の取付部３４に形成された貫通穴３６を通して、図２に示す電装ボックス２のねじ穴１４に螺合することにより、閉塞プレート１６及び補助枠体２８が電装ボックス２に形成された開口部１４を塞ぐように電装ボックス２に取り付けられる。
【００２６】
補助枠体２８のケーブル取り出し穴３８部分の側壁３０ａの内側に電装ボックス２内に増設された電装品に増設ケーブルを介して接続された雌コネクタを固定し、図４（Ａ）に示すようにケーブル４６に接続された雄コネクタ４４をケーブル取り出し穴３８を通して増設ケーブルに接続された雌コネクタに嵌合することにより、電装ボックス２内の増設ケーブルがケーブル４６に接続され、増設電装品からの信号を外部に取り出すことができる。
【００２７】
上述した実施形態の補助枠体２８は２分割可能に組み立てられているが、補助枠体２８は一体物であってもよい。この場合には、ケーブル１０，１２に接続された雌コネクタ６，８を閉塞プレート１６から取り外し、ケーブル１０，１２を補助枠体２８の開口部３２，３４を潜らせた後、雌コネクタ６，８を再び閉塞プレート１６に固定する必要がある。
【００２８】
上述した実施形態によれば、側壁３０ａにケーブル取り出し穴３８が形成された増設ケーブル取り出し用補助枠体２８を使用して閉塞プレート１６を電装ボックス２に取り付けるので、閉塞プレート１６に何ら加工を施すことなく増設ケーブルの取り出し穴を増設することができる。
【００２９】
また、補助枠体２８を電装ボックス２に装着する際に、装着の妨げとなるケーブル１０，１２を閉塞プレート１６から取り外せばよいことから作業性が良好であるとともに、電装ボックスが装着される加工装置の稼動の制限が抑制される。
【００３０】
更に、上述した実施形態のように補助枠体２８を２分割するように構成すると、既存のケーブル１０，１２，２４，２６を全く取り外すことなく補助枠体２８を電装ボックス２に装着することができ、作業性が更に良好になるとともに、電装ボックス２が装着された加工装置の稼動の制限が更に抑制される。
【符号の説明】
【００３１】
２    電装ボックス
４    開口部
６，８    雌コネクタ
１０，１２，２４，２６，４６    ケーブル
１４    ねじ穴
１６    閉塞プレート
２０，２２，４４    雄コネクタ
２８    増設ケーブル取り出し用補助枠体
３０ａ，３０ｂ，３０ｃ，３０ｄ    側壁
３２    第１の取付部
３４    第２の取付部
３８    ケーブル取り出し穴
４０ａ，４０ｂ    分割線
【図１】
2010177227.tif 000003
【図２】
2010177227.tif 000004
【図３】
2010177227.tif 000005
【図４】
2010177227.tif 000006